(57)【要約】【課題】財布等に一緒に保管したカードや各種情報類を同時に抜き出すことが簡単にできるカードケースを提供すること及び抜き出したカードケースを展開してから該カードと各種情報類の仮固定を解除して両者の照合を簡単にでき、再使用後は該カードと最新情報類とを再度仮固定状態で一緒に保管することができるようにしたものである。【解決手段】偏平状の薄片の縦方向の中央部を折り曲げ自在とした表面片、背面片及び裏面片の３片よりなる透明又は半透明のプラスチックシートにおいて、表面片及び裏面片の横方向寸法はカードの規格寸法となる８６ｍｍ前後とし、折り曲げた状態で縦方向の高さは少なくともカードの規格寸法となる５４ｍｍより高く形成してなり、表面片及び裏面片の内側端縁部のいずれか一方側に貼着剥離自在の粘着剤層を形成してなることを特徴とする財布のポケット用カードケース。【選択図】図１
2017213147.tif 000002
【特許請求の範囲】
【請求項１】
偏平状の薄片の縦方向の中央部を折り曲げ自在とした表面片、背面片及び裏面片の３片よりなる透明又は半透明のプラスチックシートにおいて、表面片及び裏面片の横方向寸法はカードの規格寸法となる８６ｍｍ前後とし、折り曲げた状態で縦方向の高さは少なくともカードの規格寸法となる５４ｍｍより高く形成してなり、表面片及び裏面片の内側端縁部のいずれか一方側に貼着剥離自在の粘着剤層を形成してなることを特徴とする財布のポケット用カードケース。
【請求項２】
背面片の幅寸法は、カードの厚さの規格寸法となる０．７６ｍｍ前後としてなることを特徴とする請求項１記載の財布のポケット用カードケース。
【請求項３】
貼着剥離自在の粘着剤層は、表面片及び裏面片の内側端縁部のいずれか一方側の対向する位置の各々に形成してなることを特徴とする請求項１又は２記載の財布のポケット用カードケース。
【請求項４】
貼着剥離自在の粘着剤層は、点状又は線状の層とし、表面片及び裏面片のいずれか一方側が他方側の非粘着層部分に位置するように配設してなることを特徴とする請求項１乃至３のいずれか記載の財布のポケット用カードケース。
【請求項５】
表面片及び裏面片のいずれか一方側の開放側となる外端縁部に一部を外方へ突出した引き出し片を形成してなることを特徴とする請求項１乃至４のいずれか記載の財布のポケット用カードケース。
【発明の詳細な説明】
【技術分野】
【０００１】
本発明は、財布等に併設された各種カードを保管するための複数のポケットに出入自在とした財布のポケット用カードケースに関する。
【背景技術】
【０００２】
近年、財布等には紙幣や小銭等を収納する以外に様々な種類のカードを収納することのできるカードポケットが併設されている。
【０００３】
財布等の薄い収納手段に紙幣や小銭等の収納機能の他にカード入れ機能が求められる場合、そのカード入れ機能は各種カードの出し入れが容易にできるように個別のカードポケットが紙幣を収納する箇所とは別にカード専用の収納手段として設けられている。該カードポケットは、カードの出し入れを容易とするために該カードよりやや大きめの袋体とし、その袋体の前壁面側をカードの上端部が露出できるような縦方向の寸法に形成している。また、より多くのカードを効率よく収納するために財布等の表裏面の各内側壁面を段状の袋体とし、カードの大きさを考慮して上下の縦方向に２、３段、左右の横方向に２列の袋体を形成している。
【０００４】
カードの大きさは、例えば、プラスチック製のクレジットカードの規格は、幅（横）８６ｍｍ×高さ（縦）５４ｍｍ×厚０．７６ｍｍで４隅は角丸３ｍｍで隈取りされている。また、主として会員証や診察券等のＰＥＴカードと称されるものも上記と同様の大きさで、厚さを０．２５ｍｍと薄くしたものである。更に、電子マネーや定期券、社員証等に使用されるＩＣカードも同じ大きさとされている（以下、それらを総称して単にカードという）。それらの大きさを考慮して横列は２列とし、その中央部を縦方向に縫着し、同様に左右の端縁部を縦方向及び底側を縫着することにより三方が閉鎖され上方側が開放した袋体のカードポケットとしている。該カードポケットを２段或いは３段とする場合は、底側の縫着位置を上下方向に少しずらすことにより袋体のカードポケットを数段形成している。
【０００５】
上記のような構成でカードポケットが形成されているので、該カードポケットの内寸法は、カードを挿入した状態では横方向は袋体を形成するために左右の縦方向の縫着間隔間に些少の隙間が生じるだけの寸法であり、且つ、縦方向はカードの収納時に、その先端部が数ｍｍ乃至７、８ｍｍ露出することのできる深さを有する寸法である。
【０００６】
上記のような構成のカードポケットは、該カードを該カードポケットより取り出す場合、上記ミリメートル単位の露出部に指をかけて抜き出しているが、当該露出部を表面側からのみだけの摩擦力で抜き出すのは困難であり、該カードの裏側に指を差し込んで該カードを指で挟んで抜き出している。
【０００７】
また、該カードを使用することによって利用状況やその他の該カードに関連する最新情報類が別体の紙片としてアウトプットされることがあるが、該紙片は薄片の破損し易いもののため該カードと一緒にカードポケットに保管することはできず、該カードとは別の他の箇所で保管しており、再使用時において、該カードと該カード情報とを一致させるための両者の照合は煩雑であり、場合によってはその紙片情報を得ることができない状況で該カードを再使用することになり、機械の操作によりカードの内容を確認する余分な作業をしなければならなかった。
【０００８】
他方、特許文献１に示すように、静電気トラブル及びスキミング防止のために財布や名刺入れ等に設けた収納手段に使用する磁気カードホルダーが知られている。該磁気カードホルダーは、横方向を収納する磁気カードの横幅と同一にカットし、縦方向はテープを２つ折りし又は２辺のテープを重ねて先端相互をヒートシールして左右の横方向から磁気カードの出し入れができるように横開口のホルダーを形成している。該ヒートシールは、収納する磁気カードの縦幅が入るスペースを確保できる寸法としている。
【先行技術文献】
【特許文献】
【０００９】
【特許文献１】特開２００９−６０８３号公報
【発明の概要】
【発明が解決しようとする課題】
【００１０】
上記特許文献１は、磁気カードホルダーから磁気カードを引き出し易くしていることは記載されているが、財布や名刺入れ等のカード収納手段となる袋体から磁気カードホルダーを引き出し易いことを考慮したものではなく、また、カードの他に別体となるカード情報紙片を一緒に保管しておくことを対象としたものでもない。更に、収納したカードや各種情報類をカードケース内の端部で固定して位置ずれを生じさせないことや、それらの取り出し時に出し易くするためにカードケースを袋状の閉鎖状態から展開して偏平状態のものへと変化させることができるように考慮したものでもない。
【００１１】
本発明は、財布等に一緒に保管したカードや各種情報類を同時に抜き出すことが簡単にできるカードケースを提供すること及び抜き出したカードケースを展開してから該カードと各種情報類の仮固定を解除して両者の照合を簡単にでき、再使用後は該カードと最新情報類とを再度仮固定状態で一緒に保管することができるようにしたものである。
【課題を解決するための手段】
【００１２】
本発明は、偏平状の薄片の縦方向の中央部を折り曲げ自在とした表面片、背面片及び裏面片の３片よりなる透明又は半透明のプラスチックシートにおいて、表面片及び裏面片の横方向寸法はカードの規格寸法となる８６ｍｍ前後とし、折り曲げた状態で縦方向の高さは少なくともカードの規格寸法となる５４ｍｍより高く形成してなり、表面片及び裏面片の内側端縁部のいずれか一方側に貼着剥離自在の粘着剤層を形成してなる財布のポケット用カードケースを特徴とする。
【００１３】
また、背面片の幅寸法は、カードの厚さの規格寸法となる０．７６ｍｍ前後としてなる財布のポケット用カードケースを特徴とする。
【００１４】
更に、貼着剥離自在の粘着剤層は、表面片及び裏面片の内側端縁部のいずれか一方側の対向する位置の各々に形成してなる財布のポケット用カードケースを特徴とする。
【００１５】
また、貼着剥離自在の粘着剤層は、点状又は線状の層とし、表面片及び裏面片のいずれか一方側が他方側の非粘着層部分に位置するように配設してなる財布のポケット用カードケースを特徴とする。
【００１６】
更に、表面片及び裏面片のいずれか一方側の開放側となる外端縁部に一部を外方へ突出した引き出し片を形成してなる財布のポケット用カードケースを特徴とする。
【発明の効果】
【００１７】
財布等に紙幣や小銭等の収納手段以外にカード用の袋体とするために前面側と裏面側の左右及び底側を縫着或いはヒートシール等により閉鎖し、上方側のみが開放するようにしてカードポケットを形成し、その横幅寸法がカードを挿入することのできるギリギリの寸法であっても該カードポケットにカードケースを通じてカードの出し入れを簡単に行うことができるようになった。
【００１８】
また、カードに関する各種情報類をカードと一緒に保管しておくことができ、今まで別々に対応していたものを一緒に保管でき、再使用時にカードの最新情報を即座に目視確認することが可能となった。
【００１９】
更に、カード及びカードに関する各種情報類をカードケース内においてずれることなく固定した状態でカードポケットに収納保管しておくことができ、カードケースをカードポケットより取り出して表・裏面片を展開してもそれらが落ちることはなく、カードの使用時には貼着状態を簡単に解除することができ、使用後は該カードと新しい各種情報類を簡単に仮固定することが可能となった。
【００２０】
また、カードケースの内側にカードや各種情報類が保管されるので、それらに直接損傷が加わったり、磨耗したりすることがなく保管でき、更に、カードケース分だけ全体が厚くなるのでカードポケットに密着状態で保持され、カードの脱落防止手段となることを可能とした。
【図面の簡単な説明】
【００２１】
【図１】本発明の財布のポケット用カードケースの展開図。
【図２】本発明の財布のポケット用カードケースを財布等のポケットへ挿入した状態を示す平面図。
【図３】本発明の財布のポケット用カードケースにカード及び各種情報類を収納した状態を示す平面図。
【図４】（ａ）〜（ｃ）貼着剥離自在の粘着剤層を示す平面図。
【発明を実施するための形態】
【００２２】
以下、図面を参照して本発明の実施の形態を詳細に説明する。
【実施例１】
【００２３】
図１は、本発明の財布のポケット用カードケース１の展開図を示しており、偏平状の薄片の縦方向中央部を横方向側へ延出させて折り曲げ部２を設け、折り曲げ自在としている。該折り曲げ部２は、挟持されるカード等の厚さを考慮して数ｍｍの幅寸法Ｙを有する２本の折り曲げ部２ａ、２ｂとする。該折り曲げ部２ａ、２ｂにより、表面片３、裏面片４及び背面片５を形成している。該薄片は、透明又は半透明の硬質又は半硬質プラスチック材等で形成したもので折り曲げた状態でカードを保持でき内側に挟み込んだカードや各種情報類が印刷された紙片を可視できればよく、表面片３又は／及び裏面片４に必要に応じて各種の文字図形を施すことができる。
【００２４】
縦方向のいずれか一方側の端縁部の内側にカードや他の紙片、プラスチック薄片等を貼り付けることのできる貼着剥離自在の粘着剤層６を設けている。折り曲げ部２ａ、２ｂを境として一方側となる表面片３の粘着剤層６ａと他方側となる裏面片４の粘着剤層６ｂを形成している。該粘着剤層６は、点状又は線状の連続層で、表面片３及び裏面片４のいずれか一方側が他方側の非粘着剤層部分に位置するように配設している。
【００２５】
また、表面片３及び裏面片４のいずれか一方側の開放側となる外端縁部に一部を外方へ突出した引き出し片７を形成している。該引き出し片７は、財布のカードポケットに保管されたカードケース１を指でつまんで取り出し易くするためである。
【００２６】
図２は、カード及び各種情報類等を挟持してカードポケットに挿入した状態を示すもので、折り曲げ部２を折り曲げて表面片３及び裏面片４を重ねている。カードの横、縦の寸法は、上記したように規格化されているので、カードケース１の横幅Ｗはカードの大きさと同じ又はほぼ一致した寸法となる約８６ｍｍとする。財布等のカードを入れるためのカードポケット幅Ｓはカード横幅に対して僅かな余裕しかないので上記のように形成する。
【００２７】
財布等のカードポケットの縦方向はカードの一部が突出できるように形成しているので、該カードケース１の縦方向寸法Ｈをカードの縦寸法と同じかそれよりやや大きめの寸法とすることができる。財布の内側に２段又は３段設けるとなるとカードポケットから突出できる余裕寸法は僅かなものとなる。従って、財布に収まった状態のカードケース１を取り出すときに指でつまみ出すのには困難が生じるので、表面片３又は裏面片４のいずれか一方側の開放側となる外端縁部に引き出し片７を形成することで取り出し易いようにすることができる。全体を突出させるより部分的に突出させた方がつまみ易い状態とすることができる。
【００２８】
図３に示すように、カードＡは表面片３及び裏面片４のいずれか一方の内側端縁部に形成した貼着剥離自在の粘着剤層６により仮固定状態で貼着されることになる。また、カードＡ以外の該カードＡに関連した各種情報類Ｂも、該カードＡと重ねて該貼着剥離自在の粘着剤層６によって仮固定状態で貼着されることになる。
【００２９】
カードＡ及び各種情報類Ｂは、各々その端縁部側で仮固定されることになるので、該カードＡの磁気や情報紙片Ｂの文字等を損傷させたり消去させたりするおそれはない。
【００３０】
利用者は、カードＡに関連した各種情報類Ｂを該カードＡと一緒に固定状態で保管しておくことができるので、次回のカードＡの再使用時には該カードＡに関連した情報を各種情報類Ｂより即座に目視確認することができる。
【００３１】
また、カードＡを取り出し或いは挿入する場合、従来のカードＡにあっては財布のカードポケットに直接挟持されているので、その都度カードＡ本体の表裏面に摩擦が生じ、カードＡが傷んだり、汚れたり或いはカード情報に欠損が生じてしまうおそれがあったが、本発明におけるカードＡは、カードケース１内に挟持された状態で出し入れされるので、該カードＡに直接摩擦力が働くことはないし、該カードＡが汚れることもない。
【００３２】
図４（ａ）、（ｂ）、（ｃ）は、カードケースの表面片３及び裏面片４の内側端縁部のいずれか一方側に設けた貼着剥離自在の粘着剤層６の態様を示す図である。（ａ）は表面片３に２列の線状粘着剤層を設け、裏面片４に該２列間に位置するように１列の線状粘着剤層を設けたものである。（ｂ）は表面片３に２列の破線状粘着剤層を設け、裏面片４に該２列間に位置するように１列の破線状粘着剤層を設けたものである。（ｃ）は表面片３及び裏面片４に点状粘着剤層を設けたもので、他片の粘着剤層の位置が一致しない位置に点状粘着剤層を設けたものである。カードＡ及び各種情報類Ｂが仮固定でき、貼着剥離を自在に行うことができる態様のものであれば、上記実施例に限定されるものではない。
【符号の説明】
【００３３】
１    カードケース
２    折り曲げ部
３    表面片
４    裏面片
５    背面片
６    貼着剥離自在の粘着剤層
７    引き出し片
【図１】
2017213147.tif 000003
【図２】
2017213147.tif 000004
【図３】
2017213147.tif 000005
【図４】
2017213147.tif 000006